(57)【特許請求の範囲】
【請求項１】
凹面を備えたプレート状の鏡保持体の該凹面内に、鏡面を表側に向けて鏡板を収容して成る鏡部材と、この鏡部材の周縁部の適所に枢着した透明なプラスチック板製の外側カバー部材と、上記鏡部材と外側カバー部材との間において、外側カバー部材の枢着部に枢着した透明なプラスチック板製の内側カバー部材とから構成されており、また、この内側カバー部材の周縁部には摘み兼用の係合片が突設されていて、この係合片を外側カバー部材の周縁部に凹設した係合凹所に係脱自在に係合した際に、両カバー部材の間に、定期券、写真その他の薄い品物を挾着収容するための浅い面状のスペースが開閉可能に形成されると共に、上記係合片を鏡部材の周縁部に凹設した係合凹所に係脱自在に係合することにより、鏡部材の鏡の鏡面を内側カバー部材単独若しくは内側カバー部材と外側カバー部材とにより覆閉するように構成したことを特徴とする携帯可能な鏡。
【請求項２】
鏡部材、外側カバー部材及び内側カバー部材は、略々同一の正面形状を備えており且つ外側カバー部材と内側カバー部材は、鏡部材の鏡面を覆閉した際に、鏡保持体の凹面内に嵌入可能に構成されると共に、内側カバー部材は、外側カバー部材に合接した際に、外側カバー部材内に嵌入可能に構成されている請求項１に記載の携帯可能な鏡。
【請求項３】
鏡部材、外側カバー部材及び内側カバー部材の正面形状は、それぞれ方形状に形成されている請求項１又は２のいづれかに記載の携帯可能な鏡。
【請求項４】
鏡部材、外側カバー部材及び内側カバー部材の正面形状は、それぞれ略円形状に構成されている請求項１又は２のいづれかに記載の携帯可能な鏡。
【発明の詳細な説明】
【０００１】
【発明の属する技術分野】
本発明は、携帯可能な鏡（携帯用鏡）に関し、さらに詳しくは、鏡に写真、定期券等の薄い品物を収容可能に構成して、鏡としての機能以外の複合的機能を発揮できるように構成したタイプの鏡の改良に関する。
【０００２】
【従来の技術】
従来、上記のような複合的機能を備えた鏡としては、例えば、実開平６−４４４７４号公報に開示されているように、写真フレームと鏡を背中合わせに一体に構成し、鏡としての機能と写真フレームとしての機能を兼備させ卓上鏡が知られている。
【０００３】
ところで、上記の卓上鏡における写真フレームは鏡と一体構成であるため、写真フレームに対して写真を出し入れするには、鏡と写真フレームとをビスなどで固定して着脱可能にするか、或は写真フレームの一辺に溝を開設し、該溝の開口部を通してカバーガラスと写真をスライドさせて出し入れするものである。
【０００４】
【発明が解決しようとする課題】
然しながら、前者の鏡と写真フレームとをビスなどで着脱可能に構成した写真の出し入れ手段の場合は、写真等を変えるたびごとにビスなどを弛緩、緊締して写真フレームを取外し、取付ける煩雑な作業を必要とする問題があり、また、後者の溝の開口部を通して写真等を出し入れする手段の場合は、挿入した写真等が開口部から逸出して紛失するおそれがある。
【０００５】
また、両者いづれの場合も、その写真フレームは表面側からのみ透視できるに過ぎないため、異なった二枚の写真等を写真フレーム内に入れて、フレームの表裏両面側から写真等を透視することはできないといった問題がある。
【０００６】
本発明は、上記の問題を解決することを課題として開発されたものであって、鏡部材に枢着して組付けたカバー部材に対する写真等の出し入れを簡便容易に且つ確実に行い得ると共に、カバー部材内に収容した写真等をカバー部材の表裏両面側から透視できる至便性を備えた携帯可能な鏡を提供することを目的とする。
【０００７】
【課題を解決するための手段】
上記の課題を解決し、その目的を達成する手段として、本発明は、凹面を備えたプレート状の鏡保持体の該凹面内に、鏡面を表側に向けて鏡板を収容して成る鏡部材と、この鏡部材の周縁部の適所に枢着した透明なプラスチック板製の外側カバー部材と、上記鏡部材と外側カバー部材との間において、外側カバー部材の枢着部に枢着した透明なプラスチック板製の内側カバー部材とから構成されており、また、この内側カバー部材の周縁部には摘み兼用の係合片が突設されていて、この係合片を外側カバー部材の周縁部に凹設した係合凹所に係脱自在に係合した際に、両カバー部材の間に、定期券、写真その他の薄い品物を挾着収容するための浅い面状のスペースが開閉可能に形成されると共に、上記係合片を鏡部材の周縁部に凹設した係合凹所に係脱自在に係合することにより、鏡部材の鏡の鏡面を内側カバー部材単独若しくは内側カバー部材と外側カバー部材とにより覆閉するように構成したことを特徴とする携帯可能な鏡を提供するものである。
【０００８】
また、本発明は、上記のように構成した携帯可能な鏡において、鏡部材、外側カバー部材及び内側カバー部材は、略々同一の正面形状を備えており且つ外側カバー部材及び内側カバー部材は、鏡部材の鏡面を覆閉した際に、鏡保持体の凹面内に嵌入可能に構成されると共に、内側カバー部材は、外側カバー部材に合接した際に、外側カバー部材内に嵌入可能に構成されている携帯可能な鏡、及び鏡部材、外側カバー部材及び内側カバー部材の正面形状は、それぞれ方形状に形成されている携帯可能な鏡、並びに鏡部材、外側カバー部材及び内側カバー部材の正面形状は、それぞれ略円形状に形成されている携帯可能な鏡をそれぞれ提供するものである。
【０００９】
【発明の実施の形態】
以下に、本発明の第１の実施の形態を添付図面の図１〜５に基づいて説明すれば、本発明に係る携帯可能な鏡Ｍは、鏡部材１と、外側カバー部材２と、内側カバー部材３とから構成されている。
【００１０】
而して、上記鏡部材１は、この実施の形態では、硬質合成樹脂製の方形プレート状の鏡保持体４の表面に方形状の凹面を形成し、該凹面内に、鏡面５ａを表側に向けて鏡板５を収容嵌着して構成されており、鏡保持体４の下側縁４ａ以外の三側縁４ｂ、４ｂ、４ｂは鏡板５の鏡面５ａよりも若干高く突出されていて、その段差６により鏡面５ａの上面に、後述する外側カバー部材２と内側カバー部材３の重ね合わせ体を平面的に収容できる深さの浅い凹面７を形成すると共に、鏡保持体４の上部の側縁４ｂの中間部に係合用凹所８を設け、且つ鏡保持体４の両側縁４ｂ、４ｂの下端部を下方に突出して脚部９、９を設けると共に、該脚部９、９に内側に向う枢支用の短いピン軸１０、１０が突設してある。
【００１１】
また、上記外側カバー部材２は、この実施の形態では、硬質合成樹脂製の透明な方形状のプレートから構成されており、前記鏡部材１の鏡保持体４の上側及び両側の側縁４ｂ、４ｂ、４ｂの内側にキッチリと円滑に嵌入できる形状と大きさを備え且つ下側の側縁２ａ以外の三側縁２ｂ、２ｂ、２ｂに、前記鏡保持体４の鏡板５の鏡面５ａから段差６を備えて突出する三側縁４ｂ、４ｂ、４ｂの該段差６と略々同長の高さの縁枠１１、１１、１１を内側（鏡板５側）に向けて立設すると共に、上側の周縁２ｂの中間部に係合用凹所１２を設けて構成されている。
なお、上記係合用凹所１２と前記鏡保持体４に設けた係合用凹所８は同じ巾と深さを備えており、且つ次に述べる内側カバー部材３に突設した摘み兼用の係合片を着脱可能にキッチリと係合できるように寸法設計されている。
【００１２】
また、上記内側カバー部材３は、この実施の形態では、硬質合成樹脂製の透明な方形状のフラットなプレートから構成されており、前記外側カバー部材２の三つの縁枠１１、１１、１１で囲まれたスペース内にキッチリと円滑に嵌入きる形状と大きさを備えると共に、上側縁の中間部に前記各係合用凹所８及び１２に着脱可能にキッチリと係合できる摘み兼用の係合片１３を突設し、且つ該摘み兼用の係合片１３の基部上方を肉厚に形成して段部１３ａを設け、該段部１３ａにより外側カバー部材２の係合用凹所１２の辺縁１２ａに係合片１３を確実に係合できるように構成されている。
【００１３】
次に、上記のように構成された鏡部材１、外側カバー部材２及び内側カバー部材３の組付け構造を説明する。
【００１４】
まづ、鏡部材１の鏡保持体４の両側周縁４ｂ、４ｂの下端部に突設した脚部９、９間に外側カバー２の下側を臨ませ、該脚部９、９に、脚部９、９に外側から内側に向けて挿着したピン軸１０、１０の突出端部を介して、外側カバー部材２の下側周縁２ａの両端の肉厚部２ｃを枢着し、鏡部材１に対して外側カバー部材２を回動自在に組付け構成する。
【００１５】
次に、上記鏡部材１と外側カバー部材２との間において、外側カバー部材２の下側縁２ａの両端肉厚部２ｃ、２ｃの間に内側カバー部材３の下側縁の両端に設けた切欠部３ａ、３ａを差込み、該肉厚部２ｃ、２ｃの内側に突出している前記ピン軸１０、１０を介して枢着し、鏡部材１及び外側カバー部材２に対して内側カバー３を回動自在に組付けて、この実施の形態に係る携帯可能な鏡Ｍを構成するものである。
【００１６】
而して、上記のように構成した携帯可能な鏡Ｍの使用状態の一例を作用、効果と共に説明すれば、図７の展開図に示すように、鏡部材１の鏡板５の凹面７に嵌入状態で同時に閉じ合わされていた外側カバー部材２と内側カバー部材３を、摘み兼用の係合片１３を指先で摘んで鏡部材１から引き離し、次に外側カバー部材２の縁枠１１、１１、１１内に嵌入状態で閉じ合わされている内側カバー部材３を、摘み兼用の係合片１３を指先で摘んで外側カバー部材２から引き離す。
【００１７】
次に、外側カバー部材２の三辺の縁枠１１、１１、１１に囲まれて外側カバー部材２の内面に形成された方形状のスペースＳ内に偏平な品物、例えばこの実施の形態では、定期券Ｔを、その表面を外側に向けて収容すると共に、該定期券Ｔの裏面上に写真Ｐを、その表面を内側に向けて収容した後、図８に示すように、内側カバー部材３を外側カバー部材２の上記スペースＳ内に嵌入し、その係合片１３を外側カバー部材２の係合用凹所１２内に嵌め込んで、該係合用凹所１２の辺縁１２ａに係合片１３の段部１３ａを係合し、両カバー部材２、３を着脱自在に閉じ合わせる。
【００１８】
上記の状態では、図８に示すように、鏡部材１の鏡面５ａが開放されると共に、両カバー部材２、３間に収容された写真Ｔを透明な内側カバー部材３を介して透視できるので、手鏡として使用し得ると共に、楽しく写真を観賞できる。
【００１９】
また、卓上鏡等の立て鏡として使用する場合は、公知のこの種の携帯用鏡や立て鏡と同様に、図８に示す状態から両カバー部材２、３を後方に回動すればよく、この時、両カバー部材２、３は鏡部材１の両側縁４ｂ，４ｂの下端部に突出した脚部９、９間の空隙の存在により円滑に回動されると共に、或る傾斜角度まで回動すると、外側カバー部材２の下方部が鏡部材１の下側縁４ａに当接してそれ以上は回動しないので、図６に示すように傾斜立て鏡として使用できるものである。
【００２０】
次に、この鏡を携帯する場合は、嵌合状態にある両カバー部材２、３を鏡部材１側に回動するものであり、この時、外側カバー部材２は、この実施の形態では、鏡部材１の鏡保持体４の上側及び両側縁４ｂ、４ｂ、４ｂの内側にキッチリと円滑に嵌入できる形状と大きさを備え、且つ該三つの側縁４ｂ、４ｂ、４ｂは鏡板５の鏡面５ａよりも若干高く突出されていて、その段差６により鏡面５ａの上面に浅い凹面７が形成されているので、両カバー部材２、３は該凹面７内に段差のない収容状態で嵌入されて嵩張ることがなく極めて容易に携帯できる。
【００２１】
また、上記のように折畳んだ状態の場合は、図９に示すように、外側カバー２のスペースＳ内に表面を外側に向けて収容した定期券Ｔを外部から透視できるので、鏡を定期券としても使用できる多大な利点があり、且つ両カバー部材２、３間に収容された写真Ｐや定期券Ｔの扁平な品物は、外側カバー部材２に設けられ縁枠１１、１１、１１の存在により、携行中に不測に逸出して紛失するおそれがない利点がある。
【００２２】
図１０は本発明の第２の実施の形態を略示したもので、第１の実施の形態と相違とているのは、鏡部材１、外側カバー部材２及び内側カバー部材３の形状を略々円形に形成した点のみであって、その材質及びその他の構成並びに作用、効果は同一であるから、同一部分には同一符号を付し、且つ構成並びに作用、効果については、図示及び説明するのを省略した。
【００２３】
以上、本発明の主要な実施の形態について説明したが、本発明は、この実施の形態に限定されるものではなく、発明の目的を達成でき且つ発明の要旨を逸脱しない範囲内で種々の設計変更が可能であり、それらも全て本発明の特許請求の範囲に包含されるものである。
【００２４】
【発明の効果】
請求項１に記載の発明は、凹面を備えたプレート状の鏡保持体の該凹面内に、鏡面を表側に向けて鏡板を収容して成る鏡部材と、この鏡部材の周縁部の適所に枢着した透明なプラスチック板製の外側カバー部材と、上記鏡部材と外側カバー部材との間において、外側カバー部材の枢着部に枢着した透明なプラスチック板製の内側カバー部材とから構成されており、また、この内側カバー部材の周縁部には摘み兼用の係合片が突設されていて、この係合片を外側カバー部材の周縁部に凹設した係合凹所に係脱自在に係合した際に、両カバー部材の間に、定期券、写真その他の薄い品物を挾着収容するための浅い面状のスペースが開閉可能に形成されると共に、上記係合片を鏡部材の周縁部に凹設した係合凹所に係脱自在に係合することにより、鏡部材の鏡の鏡面を内側カバー部材単独若しくは内側カバー部材と外側カバー部材とにより覆閉するように構成したことを特徴とする携帯可能な鏡に係り、上記のようにして使用するものであるから、次の優れた諸効果を奏する。
【００２５】
（１）  折畳んでコンパクト化できるので携帯が容易であることは勿論のこと、手鏡として使用し得ると共に、立て鏡としても使用できる利点がある。
（２）  外側カバー部材と内側カバー部材は、共に透明な合成樹脂板で構成されているので、外側カバー部材の浅いスペース内に写真、定期券その他の薄い品物を収容し、その表面を内側カバー部材で覆閉しても、その収容品を両カバー部材の両側から透視でき、従って両カバー部材を鏡部材から離反回動して手鏡や立て鏡として使用した場合も、折畳んで鏡部材の鏡板の鏡面を覆閉した場合も、収容品を透視できる利点がある。
（３）  外側カバー部材のスペースを少し深く形成しておけば、収容品の枚数及び種類を増加でき、収容品を適宜に差し変えることにより、上記のリバーシブル透視の効果を一層向上できる利点がある。
【００２６】
また、請求項２に記載の発明は、上記請求項１に記載の発明に係る携帯可能な鏡において、鏡部材、外側カバー部材及び内側カバー部材は、略々同一の正面形状を備えており且つ外側カバー部材と内側カバー部材は、鏡部材の鏡面を覆閉した際に、鏡保持体の凹面内に嵌入可能に構成されると共に、内側カバー部材は、外側カバー部材に合接した際に、外側カバー部材内に嵌入可能に構成されている携帯可能な鏡に係わるものであるから、上記の効果に加えて次の優れた効果を奏する。
【００２７】
（１）  折畳んだ際に、鏡部材と外側カバー部材と内側カバー部材の三部材から成る鏡全体の厚さを、鏡部材の厚さと同じ厚さに保ち得るので、携帯可能な鏡を一層コンパクト化できると共に、鏡面は二枚のカバー部材により一層確実に保護される。
（２）  外側カバー部材のスペース内の収容品は、該スペース内に内側カバー部材が嵌入されることにより確実に保持されて、不測に外部に逸出して落失するおそれがない。
【図面の簡単な説明】
【図１】本発明に係る携帯可能な鏡の第１の実施の形態を示す正面図である。
【図２】その背面図である。
【図３】その左側面図である。
【図４】図１のＡ−Ａ線に沿う拡大断面図である。
【図５】両カバー部材を鏡部材から離反回動して手鏡とした状態の正面図である。
【図６】両カバー部材を鏡部材の後側に回動して立て鏡とした状態の斜視図である。
【図７】外側カバー部材のスペース内に二枚の薄い品物を収容する状態の説明図である。
【図８】鏡を開いて、外側カバー部材のスペース内に収容した収容品の一枚を内側カバー部材の側から透視した状態の説明図である。
【図９】鏡を閉じて、外側カバー部材のスペース内に収容した収容品の他の一枚を外側カバー部材の側から透視した状態の説明図である。
【図１０】本発明に係る携帯可能な鏡の第２の実施の形態を示す正面図である。
【符号の説明】
Ｍ      携帯可能な鏡
１      鏡部材
２      外側カバー部材
２ａ    下側縁
２ｂ・２ｂ・２ｂ  三側縁
２ｃ・２ｃ  両端肉厚部
３      内側カバー部材
３ａ    切欠部
４      鏡保持体
４ａ    下側縁
４ｂ・４ｂ・４ｂ  三側縁
５      鏡板
５ａ    鏡面
６      段差
７      凹面
８      係合用凹所
９      脚部
１０    ピン軸
１１    縁枠
１２    係合用凹所
１２ａ  辺縁
１３    係合片
１３ａ  段部
Ｓ      浅い面状のスペース
Ｐ      写真
Ｔ      定期券
【図１】
0003585413.tif 000002
【図２】
0003585413.tif 000003
【図３】
0003585413.tif 000004
【図４】
0003585413.tif 000005
【図５】
0003585413.tif 000006
【図６】
0003585413.tif 000007
【図７】
0003585413.tif 000008
【図８】
0003585413.tif 000009
【図９】
0003585413.tif 000010
【図１０】
0003585413.tif 000011